(57)【要約】【課題】頭頚部を効果的に刺激できる安眠枕を提供する。【解決手段】上下方向に延びる空洞部１１ｂが形成された、弾性材料からなる枕本体１１と、振動体を収容し、振動体の振動が伝達されて振動する振動筐体１３とを有し、安眠枕の使用状態において、枕本体に押下力が加わって下方に弾性変形すると、振動体が空洞部１１ｂ内を下方へ移動することを特徴とすることを安眠枕。【選択図】図３
2006289054.tif 000002
【特許請求の範囲】
【請求項１】
上下方向に延びる空洞部が形成された、弾性材料からなる枕本体と、
振動体を収容し、該振動体の振動が伝達されて振動する振動筐体とを有し、
該安眠枕の使用状態において、該枕本体に押下力が加わって下方に弾性変形すると、前記振動筐体が前記空洞部内を下方へ移動することを特徴とすることを安眠枕。
【請求項２】
該安眠枕の使用状態において、前記振動筐体は前記空洞部内に位置していることを特徴とする請求項１に記載の安眠枕。
【請求項３】
前記振動筐体を保持する弾性材料からなる筐体保持部材を有し、該筐体保持部材は、前記枕本体の上面に前記空洞部を覆うようにして載置されていることを特徴とする請求項１又は２に記載の安眠枕。
【請求項４】
前記空洞部は、上端部が閉塞され、下端部が開口した形状に構成されており、前記振動筐体は該空洞部内における前記閉塞部に設けられていることを特徴とする請求項１又は２に記載の安眠枕。
【請求項５】
前記振動体は、電磁式の振動体を有することを特徴とする請求項１乃至４のうちいずれか一つに記載の安眠枕。
【発明の詳細な説明】
【技術分野】
【０００１】
本願発明は、人体の頭頚部を刺激可能な振動体を備えた安眠枕に関する。
【背景技術】
【０００２】
近年、不眠状態を解消するために様々な提案がなされており、例えば、ストレスパターン、疲労パターン及び健康パターンのいずれかのパターンで振動する振動体をマットレスに内蔵した睡眠誘導装置が提案されている（特許文献１参照）。この睡眠誘導装置によれば、各個人の生体の状態に応じて、ストレスパターン、疲労パターン及び健康パターンのいずれかの刺激パターンを選択できるため、容易に睡眠に導くことができる。
【０００３】
また、別の睡眠誘導装置として、ホワイトノイズ回路と、このホワイトノイズを入力としてパワースペクトルが１／ｆ特性を有する音声フィルタと、音声出力を時間経過と共に変化させる制御回路とを備えた入眠装置が組み込まれた枕が提案されている。
【０００４】
ところで、近年、生体に睡眠を誘発する部位として、頭部頚椎が注目されており、該頭部頚椎に対して刺激を与えることにより、入眠を誘発することができる（参考文献参照）。
【０００５】
そこで、本願の発明者等は、振動体が収容された振動筐体を枕内に収容して、頭部頚椎を刺激できる安眠枕の開発を試みた。
【特許文献１】特許第２５４２３３４号明細書
【特許文献２】特開昭６２−２６６０７６号公報
【特許文献３】特開２０００−１０６９９８号公報
【非特許文献１】森田雄介著  、「THE  BEST  LIFE  眠りたい眠れない」、講談社、１９９３年１０月３０日、ｐ５８−６２
【発明の開示】
【発明が解決しようとする課題】
【０００６】
しかしながら、枕内に振動体を配置した場合、振動体を収容した筐体が頭頚部に当接して、入眠が妨げられるおそれがある。
【０００７】
また、振動体の振動音が異音となって直接聴覚に伝達されるため、高い入眠効果を得るためには、振動体の振動音を抑制する必要がある。ところが、特許文献１に記載の入眠装置は、マットレスの中に振動体を組み込み、腰や背中を刺激する構成であり、刺激部位が聴覚から離れた位置にあるため、そもそも聴覚に伝達される振動音を抑えるという設計思想に基づき製作されていない。
【０００８】
さらに、特許文献３には、２０HZ以下の周期で振動する機械的振動子を両耳の間の後頭部に位置するように装着した睡眠枕が開示されているが、振動音を抑える機械的構成について開示がない。
【０００９】
そこで、本願発明は、睡眠誘発の妨げとならないような構成を有する安眠枕を提供することを一つの目的とする。
【課題を解決するための手段】
【００１０】
上記課題を解決するために、本願発明の安眠枕は、上下方向に延びる空洞部が形成された、弾性材料からなる枕本体と、振動体を収容し、該振動体の振動が伝達されて振動する振動筐体とを有し、該安眠枕の使用状態において、該枕本体に押下力が加わって下方に弾性変形すると、前記振動筐体が前記空洞部内を下方へ移動することを特徴とする。
【００１１】
ここで、該安眠枕の使用状態において、前記振動筐体を前記空洞部内に配置してもよい。また、前記振動筐体を保持する弾性材料からなる筐体保持部材を有し、該筐体保持部材は、前記枕本体の上面に前記空洞部を覆うようにして載置するとよい。さらに、前記空洞部を、上端部が閉塞され、下端部が開口した形状に構成するとともに、前記振動筐体を該空洞部内における前記閉塞部に設けるとよい。
【００１２】
前記振動体を、電磁式の振動体として構成するとよい。
【発明の効果】
【００１３】
本願発明によれば、安眠枕の使用状態において、振動筐体は空洞部内に位置するため、振動筐体と頭部との接触を防止しながら、頭頚部を振動体の振動によって刺激できるため、睡眠を誘発することが期待できる。また、振動筐体が頭部やベッドのシートなどの枕載置面に対して非接触となるため、振動体による振動を効率良く、頭頚部に伝達することができる。
【発明を実施するための最良の形態】
【００１４】
以下図面を参照しながら本発明の実施例について説明する。
【実施例１】
【００１５】
まず、図１、図２、図３及び図４を参照して、本発明の安眠枕の一実施例である安眠枕の構成及び使用方法を説明する。ここで、図１は枕の分解斜視図であり、図２及び図３は枕の長手方向の断面図であり、枕に頭が載置される前の状態を図示しており、図３は枕に頭が載置された状態を図示している。図４は、安眠枕の上面図である。
【００１６】
１１は直方体形状の枕本体であり、この枕本体１1には上下方向に延びる複数の円形開口部１１aが略等間隔に多数形成されており、枕上に載置される頭部の頭頚部の略直下に対応した領域には、矩形空洞部１１ｂ（開口部）が上下方向に延びて設けられている。枕本体１１は高反発弾性材料によって構成されており、枕本体１１は、頭部が載置されると下方に弾性変形する。
【００１７】
１２は略直方体形状の筐体保持部材であり、この筐体保持部材１２には上下方向に延びる円形開口部１２aが略等間隔に複数形成されており、その内側において振動筐体１３を保持している。なお、筐体保持部材１２の下面に振動筐体１３を固定し、吊り下げ状態で保持してもよい。
【００１８】
図２に図示するように、筐体保持部材１２は、矩形空洞部１１ｂを覆うようにして枕本体１１上に載置されており、振動筐体１３は矩形空洞部１１ｂの上方に配置されている。すなわち、図４に図示するように、振動筐体１３は、平面視において矩形空洞部１１ｂの内側領域に配置された状態となっている。
【００１９】
筐体保持部材１２は、枕の使用状態において、押下げ力を受けると図３に図示するように、その一部が振動体筐体１３とともに枕本体１１の矩形空洞部１１ｂ内に進入するようになっている。
【００２０】
１４は、枕本体１１の上面に載置される低反発枕シートであり、この低反発枕シートには、筐体保持部材１２との干渉を避けるための凹形状部１４aが形成されている。
【００２１】
なお、筐体保持部材１２の一部を矩形空洞部１１ｂ内に押し込み、枕の未使用時において、振動筐体１３を予め矩形空洞部１１ｂ内に進入させた状態としてもよい。
【００２２】
上述の構成において、枕に頭部を載置すると、頭部から押下力を受けて枕本体１１及び筐体保持部材１２における頭部との接触部分が頭部に沿った形状に弾性変形する。
【００２３】
このとき、筐体保持部材１２のうち振動筐体１３を保持した保持部の下方には、上下方向に延びる矩形空洞部１１ｂが設けられているため、この保持部は、大きく弾性変形することなく矩形空洞部１１ｂ内に進入する。その結果、頭部と振動筐体１３との間に所定の厚みを持った筐体保持部材１２が介在することになるため、振動筐体１３と頭部との接触を防止することができる。また、安眠枕が載置されるベッドシートなどの載置面に対して、振動筐体１３は、非接触状態となっているため、振動筐体１３の振動を効率よく、頭頚部に伝達することができる。
【００２４】
図３に図示するように、振動筐体１３が空洞部１１ｂ内に位置する状態で、振動筐体１３を振動させると、この振動が筐体保持部材１２及び枕本体１１を介して、頭頚部に伝達されるため、入眠効果を得ることが期待できる。
【００２５】
次に、振動筐体１３について、図６及び図７を参照して説明する。ここで、図６は、振動筐体１３の斜視図であり、図７は振動筐体１３の垂直方向の断面図である。
【００２６】
筐体１３１の下面には、可動鉄片支持部材１３２が上方に延びて設けられており、この可動鉄片支持部材１３２の上端部には凸形状の可動鉄片支持部１３２ａが形成されており、この可動鉄片支持部１３２ａにおいて可動鉄片１３３が支持されている。
【００２７】
この可動鉄片１３３の先端部にはウエイト１３４が取り付けられている。可動鉄片支持部材１３２にはリターンマグネット１３５が取り付けられており、リターンマグネット１３５の可動鉄片支持部材１３２を挟んだ反対側には、ボビン１３６が筐体１３１の下面に固定配置されている。
【００２８】
ボビン１３６の外周面には、コイル１３６ａが巻き回されており、このボビン１３６の径方向中央部には、鉄芯１３６ｂが上下方向に延びて設けられている。
【００２９】
コイル１３６ａには、不図示の制御回路から電源ケーブル１３６ｃを介して電力が供給されるようになっている。
【００３０】
コイル１３６ａに通電する前の状態において、可動鉄片１３３はリターンマグネット１３５に吸着しており、コイル１３６ａに通電すると、可動鉄片１３３はリターンマグネット１３５の磁力に抗して鉄芯１３６ｂに吸引される。このように、コイル１３６ａへの通電状態を切り替えることにより、可動鉄片１３３を駆動し、結果的に筐体１３１を振動させることができる。
【００３１】
なお、可動鉄片支持部１３２ａの形状は、可動鉄片１３３の駆動範囲を制限できるような凸形状に構成されており、コイル１３６ａへの通電時において、可動鉄片１３３は鉄芯１３６ｂに接触する手前で、可動鉄片支持部１３２ａに当接して停止するようになっており、リターンマグネット１３５における可動鉄片１３３との当接部には、防音処理としての緩衝部材（例えば、ゴム）が施されている（不図示）。これにより、当接の際に発生する当接音が睡眠誘発を妨げる異音となって、聴覚に入るのを防止できる。
【００３２】
なお、可動鉄片１３３が鉄芯１３６ｂに当接する構成としてもよいが、この構成とした場合には、鉄芯１３６ｂとの当接部に、防音処理としての緩衝部材（例えば、ゴム）が施すとよい。（不図示）
次に、図８を用いて、コイル１３６aへの通電状態を制御する制御回路１４１の構成について説明する。ここで、図８は、制御回路１４１の回路構成を図示したブロック図である。１４１ａは制御回路全体の制御を司るＣＰＵであり、１４１ｂは定周波数のクロック信号をＣＰＵ１４１ａに供給する発振子である。１４１ｃはＣＰＵ１４１ａからの制御信号に基づきボビン１３６ｂに巻き回されたコイル１３６ａに電流を出力する出力回路である。
【００３３】
１４１ｄはリセット回路であり、電源をオンする場合に、電源電圧が正常に立ち上がり更に周辺回路が安定するまでＣＰＵ１４１ａをリセット状態に保持する。また、電源オフ時には瞬時にＣＰＵ１４１ａや周辺ロジックを初期状態に戻す。１４１ｅは電源電圧をＣＰＵ１４１ａ、出力調整回路１４１ｆ及び出力回路１４１ｃに分配する電源制御回路である。１４１ｆは出力調整回路であり、無段階ボリュームで出力の大きさを設定する。
【００３４】
１４１ｇは動作モード選択スイッチであり、この動作モード選択スイッチ１４１ｇを操作することにより、振動筐体１３の振動パターンを選択することができる。
【００３５】
本実施例では、デルタ帯域に属する信号を出力するデルタモードと、母親が赤子を寝かしつける時のたたき振動を擬似的に表現したマザーモードと、列車に揺られている時の心地よいレールの響きを擬似的に表現したトレインモードとからなる３つの振動パターンを選択できるようにしている。なお、これらの３つの振動パターンのうちいずれか一つを削除してもよいし、振動パターンを一つだけにしてもよい。
【００３６】
各振動パターンの波形を図９に示しており、(ａ)がデルタモードであり、(ｂ)がマザーモードであり、(ｃ)がトレインモードである。デルタモードに設定された場合、出力される信号が脳波のデルタ波帯域に属する３．５ＨＺから０．７５ＨＺまで１８０秒の周期で漸減（第１の出力信号）するようになっており、マザーモードに設定された場合、０．７５ＨＺの固定周波数の信号を出力（第２の出力信号）するようになっている。
【００３７】
トレインモードに設定された場合、コイル１３６aを１５０ｍｓ通電→３００ｍｓ停止→コイル１３６aを１５０ｍｓ通電→１０００ｍｓ停止、といった周期パターンで可動鉄片１３３を駆動し、振動筐体１３を振動させる（第３の出力信号）。これにより、使用者は目的や体調に応じた最適な振動パターンを選択することができる。なお、上記信号に１／ｆゆらぎのパターンで振動する１／ｆゆらぎ信号を重畳してもよい。また、本明細書において、「脳波のデルタ波帯域」とは、０．５HZから４．０HZまでの帯域を意味する。
【００３８】
１４１ｈはＣＰＵ１４１ａに対して動作開始及び停止を指示する動作開始／停止スイッチである。１４１ｉは動作時間選択スイッチであり、振動筐体１３を振動させる時間を、３０分、１５分の２段階に調整できるようにしている。
【００３９】
１４１ｊはＬＥＤであり、振動筐体１３の振動パターンの選択に応じて発光及び消灯するようになっている。
【００４０】
なお、筐体保持部材１２として弾性材料からなる板材を採用し、該板材の下面に振動筐体１３を固定するとともに、該板材を枕本体１１上における空洞部１１ｂに差し渡すように配置して、矩形空洞部１１ｂ内に振動筐体１３を予め挿入し安眠枕を構成してもよい。
【００４１】
さらに、図５に図示するように、枕本体１１の内側に振動筐体１３を格納する構成であってもよい。すなわち、図５に図示する安眠枕では、筐体保持部材１２を省略するとともに、枕本体１１の内側に空洞部１１ｂを設けて、この空洞部１１ｂの天井部（閉塞部）に振動筐体１３を接着固定している。これにより、部品点数の削減によるコストの削減をはかることができる。
【実施例２】
【００４２】
本実施例の枕には、実施例１の振動筐体１３とは異なる振動筐体が組み込まれている。なお、実施例１と同様の構成については同一符号を付して説明を省略する。
【００４３】
図１０を参照して、本実施例の振動筐体の構成について説明する。ここで、図１０は、本実施例の振動筐体の分解斜視図である。
【００４４】
２１ａは上側筐体であり、２１ｂは下側筐体であり、上側筐体２１ａ及び下側筐体２１ｂにより筐体２１が構成される。
【００４５】
２３は振動板であり、この振動板２３の図中左右両端部には凸形状の腕部２３aが設けられており、これらの腕部２３aにはそれぞれ、図中左右方向に延びる２つの長穴部３１が形成されている。
【００４６】
下側筐体２１ｂの上端部には、腕部２３aを支持する支持部５２が下側筐体２１ｂの内側方向に突出して設けられている。
【００４７】
振動板２３の下面の中央部には、略直方体形状のウエイト２４が取り付けられており、ウエイト２４の左右両側には図中左右方向に延びる２つの長穴部２３ｂがウエイト２４からの距離を略等しくして形成されている。
【００４８】
これらの長穴部２３ｂの下側領域には、振動板２３を駆動するためのソレノイド２５が２つ設置されている。
【００４９】
ソレノイド２５を構成する上下方向に進退可能な可動鉄芯２５１の先端部には、ネジ溝部２５１aが形成されており、このネジ溝部２５１aは、振動板２３の長穴部２３ｂに対して下側から挿入されている。
【００５０】
可動鉄芯２５１に形成されたネジ溝部２５１aには、振動板３の上側から半球形状の上側ユニバーサルナット２６１a及び下側から半球形状の下側ユニバーサルナット２６１bが振動板２３を挟み込むようにして締結されており、これらのユニバーサルナット２６１の締結状態において、各ユニバーサルナット２６１の球面部分は、振動板２３の長穴部２３ｂに係合している。
【００５１】
ソレノイド２５の固定金具１２５には、ビス穴部１２５ｂが形成されており、このビス穴部１２５ｂに締結されるビスを通すための穴部２１２ｂが下側筐体２１ｂに形成されている。ビス穴部１２５ｂ及び穴部２１２ｂに不図示のビスを締結することにより、ソレノイド２５は筐体２１に対して固定される。
【００５２】
２７は振動板２３を押さえるためのゴム板であり、上側筐体２１ａ及び振動板２３の間に配置されている。このゴム板２７のうち、振動板２３の長穴部２３aに対応する領域にはビス穴部２７ａが形成されている。下側筐体２１ｂの支持部５２のうち、振動板２３の長穴部３１に対応した領域には、ビス穴部２７ａに対応するビス穴部５２ａが形成されている。
【００５３】
次に、図１１を参照して、ソレノイド２５の構成について説明する。ここで、図１１は、ソレノイド２５の分解斜視図である。
【００５４】
可動鉄芯２５１の先端部には、ネジ溝部２５１ａが形成されており、可動鉄芯２５１の表面には、低摩擦部材としてのフッ素樹脂が施されている。
【００５５】
２５２はボビンであり、このボビン２５２に巻き回したコイル２５３への通電状態を制御することにより、可動鉄芯２５１は上下方向に駆動される。なお、コイル２５３への通電状態は、実施例１と同様に制御回路１４１によって制御される。
【００５６】
２５５は一対の永久磁石であり、磁石保持部材２５６によって保持されている。磁石保持部材２５６の中央部には、ボビン２５２の空洞部２５２aに対応した領域に開口部２５６aが形成されている。
【００５７】
１２５は、コの字形状の固定金具であり、永久磁石２５５によって磁化されている。この固定金具１２５には、開口部１２５aが形成されており、この開口部１２５aから可動鉄芯２５１が上側に突出している。永久磁石２５５及び磁石保持部材２５６は、磁石支持部材２５７上に支持されており、この磁石支持部材２５７は、固定金具１２５にカシメられて固定されており、その略中央には開口部２５６aと同径の開口部２５７aが形成されている。
【００５８】
次に、図１２、図１３を参照して、本実施例の振動体の動作について説明する。ここで、図１２は、本実施例の振動体の動作を図示した動作説明図である。図１３は、本実施例のソレノイド２５の動作説明図であり、(ａ)は非通電時におけるソレノイドの断面図であり、(ｂ)は通電時におけるソレノイドの断面図である。
【００５９】
コイル２５３に通電する前の状態において、可動鉄芯２５１は、図１３(a)に図示するように、ボビン２５２の空洞部２５２ａ内における下側駆動端（第２の駆動端）に位置している。この下側駆動端に位置する状態で、ＣＰＵ１４１ａを駆動してコイル２５３への通電動作を開始すると、可動鉄芯２５１は、ボビン２５２及びコイル２５３による電磁作用により、永久磁石２５５の吸引力に抗して下側駆動端から上方へ移動する。
【００６０】
なお、可動鉄芯２５１が下側駆動端に位置するとき、可動鉄芯２５１の先端部に連結された振動板２３は下に凸の形状となっている。可動鉄芯２５１が上方に移動するのに連動して、可動鉄芯２５１に連結された振動板２３は、両端が支持された状態で上側に押し込まれるため、下に凸の形状から平板形状に変形する。この平板形状に一旦戻った状態から、可動鉄芯２５１が更に上方へ移動すると、振動板２３は可動鉄芯２５１によって更に上方に押し込まれ、平板形状から上に凸の形状に弾性変形する。そして、弾性変形した振動板２３の曲げ応力により、可動鉄芯２５１は上側駆動端（第１の駆動端）に達して停止する。
【００６１】
このように、両端が支持された状態で振動板２３を振動させることにより、振動板２３の両端に形成された腕部２３ａを介して、筐体２１全体に振動を伝達することができる。この振動のタイミングを、実施例１と同様に図８に示す動作モード選択スイッチ１４１ｇを操作して、睡眠誘発に適した振動パターンに設定することにより、振動体による振動が筐体保持部材１２及び枕本体１１を介して頭頚部に伝達されるため、入眠効果を得ることが期待できる。
【００６２】
また、本実施例では、可動鉄芯２５１を振動板２３に対して吊り持ち支持しているユニバーサルナット２６１が、振動板２３の振動動作に応じて振動板２３の長穴部２３ｂ内を移動できる構成となっているため、振動板２３を大きく揺らすことができる。さらに、長穴部２３ｂに接触するユニバーサルナット２６１の接触部分の形状を球面とすることにより、摩擦抵抗を減らしているため、ユニバーサルナット２６１が長穴部２３ｂ内を摺動しながら移動するときに、睡眠誘発の妨げとなる異音が発生するのを抑制できる。
【００６３】
また、振動板２３の腕部２３ａに形成されたビス穴部３１が長穴形状となっており、振動板２３の振動動作に応じて、ビス穴部３１内をビスが移動できる構成となっているため、振動板２３を大きく振動させることができる。
【００６４】
さらに、可動鉄芯２５１の表面には低摩擦部材としてのフッ素樹脂が施されているため、例えば、頭の向きなど睡眠姿勢を変える際に枕に衝撃が加わり、可動鉄芯２５１が固定金具１２５などに接触した場合に、睡眠の妨げとなる異音が発生するのを抑制することができる。
【００６５】
振動体の動作説明に戻る。可動鉄芯２５１が上側駆動端に達した状態において、コイル２５３への通電が絶つと、可動鉄芯２５１は、その自重、ウエイト２４及び永久磁石２５５の吸引力により下方へ移動する。そして、振動板２３が所定量だけ下に凸の状態に弾性変形すると、この弾性変形した振動板２３の曲げ応力により、可動鉄芯２５１の下方への移動が阻止され、可動鉄芯２５１は、図１３(ａ)に図示するように磁石保持部材２５６の上方に位置する下側駆動端に停止する。
【００６６】
このように、本実施例では、弾性変形する振動板２３の曲げ応力により、永久磁石２５５に引き寄せられる可動鉄芯２５１の永久磁石２５５への吸着を防止している。これにより、可動鉄芯２５１が永久磁石２５５の磁力により磁石保持部材２５６に吸着して衝突音が生じるのを防止できるため、入眠の妨げとなる異音の発生を抑制することができる。
【実施例３】
【００６７】
本実施例の枕には、実施例１の振動筐体１３とは異なる振動筐体が組み込まれている。なお、実施例１と同様の構成については同一符号を付して説明を省略する。
【００６８】
まず、図１４、図１５を用いて、本実施例の振動筐体の構成について説明する。ここで、図１４は本実施例の振動筐体の組み立て完成図であり、図１５は本実施例の振動筐体の分解斜視図である。１６１ａは上側筐体であり、１６１ｂは下側筐体であり、上側筐体１６１ａ及び下側筐体１６１ｂによりソレノイド２５や振動板１６３を収容する筐体１６１が構成される。なお、ソレノイド２５の構成は、実施例２と略同様である。
【００６９】
１６３は振動板であり、この振動板１６３の図中左右両端部は、下側筐体１６１ｂの上端部に形成された凹形状の支持部１７１に支持されている。支持部１７１に支持された振動板１６３は、支持部１７１に形成された不図示の穴部に挿入される振動板位置決めピン１６６により位置決め固定されており、さらに上筐体１６１ａとの間には、板形状のゴム板１６４が介在している。
【００７０】
振動板１６３の略中央部には、穴部１６３ａが形成されており、この穴部１６３ａにユニバーサルナット１６５を用いて実施例２と同様の方法によりソレノイド２５の可動鉄芯１１が連結されている。
【００７１】
本実施例のボビン２５２、永久磁石２５３及び固定金具１２５は、磁力によってユニット化されており（以下「可動鉄芯駆動ユニット」という）、この可動鉄芯駆動ユニットは、永久磁石２５３及び可動鉄芯２５１の間に働く磁力によって、筐体１６１内の空間部における特定の停止位置に浮いた状態となっている。
【００７２】
本実施例の振動体の動作は、実施例２と同様であるため、説明を省略する。
【００７３】
本実施例では、ソレノイド２５自体が振動板１６３を振動させるウエイトの役割を果たしているため、実施例２のウエイト２４に相当する部材が不要となる。これにより、コストを削減することができる。
【００７４】
実施例２及び３の安眠枕は、以下の発明を具体化したものでもあり、上記実施例に様々な変更が加えられて使用されるものである。
〔発明１〕
筐体と、前記筐体に組み込まれ、両端が支持された振動板と、コイルが巻き回されたボビンと、前記コイルへの通電状態を制御する制御回路と、
前記振動板に連結されるとともに、前記コイルへの通電状態に応じて、第１の駆動端と、この第１の駆動端の下方に位置する第２の駆動端との間で駆動され、前記振動板を弾性変形させる可動鉄芯と、前記可動鉄芯の下側に配置され、該可動鉄芯を引き寄せる永久磁石とを有し、前記可動鉄芯は、前記弾性変形した前記振動板により、前記第２の駆動端から下方への移動が阻止され、前記第２の駆動端は、前記永久磁石よりも上側に設定されていることを特徴とする安眠枕。
〔発明２〕
前記可動鉄芯の表面には、該可動鉄芯よりも摩擦抵抗が低い低摩擦部材が形成されていることを特徴とする発明１に記載の安眠枕。
〔発明３〕
前記振動板には長穴部が形成されており、前記可動鉄芯の先端部は、前記長穴部に締結手段を用いて連結されており、前記可動鉄芯は、前記振動板が弾性変形するのに応じて、前記長穴部内において移動可能であること特徴とする発明１又は２に記載の安眠枕。
〔発明４〕
前記ボビンは前記永久磁石に吸着しており、前記永久磁石には前記ボビン及び前記永久磁石を筐体に固定するための固定部材が取り付けられていることを特徴とする発明１乃至３のいずれか一つに記載の安眠枕。
〔発明５〕
前記振動板の略中央には、錘が取り付けられており、前記長穴部は、前記錘を挟んだ両側に該錘からの距離を略等しくして２つ形成されていることを特徴とする発明４に記載の安眠枕。
〔発明６〕
前記ボビン及び前記永久磁石は、前記永久磁石及び前記可動鉄芯の間に働く磁力により、前記筐体内の所定の位置に浮いていることを特徴とする発明１又は２に記載の安眠枕。
【実施例４】
【００７５】
本実施例の枕には、実施例１の振動筐体１３とは異なる振動筐体が組み込まれている。なお、実施例１と同様の構成については同一符号を付して説明を省略する。
【００７６】
図１６は本実施例の振動筐体の分解斜視図であり、図１７は振動体の動作を説明した動作説明図である。
【００７７】
筐体７１の内側に、両端が支持された状態でリーフススプリング７３を組み込み、このリーフススプリング７３の下面に鉄片７４を取り付ける。
【００７８】
鉄片７４の下方には、電磁石７５が筐体７１の底面に固定配置されており、この電磁石７５に対する通電状態を制御することにより、リーフスプリング７３が振動するようになっている。なお、電磁石７５に対する通電状態は、実施例１と同様に、制御回路１４１によって行う。
【００７９】
すなわち、電磁石７５への通電状態をオンとオフとの間で切り替えることにより、リーフスプリング７３及び鉄片７４を、図１７に点線で図示する下側駆動端X及び上側駆動端Yとの間で振動させるようにしている。リーフスプリング７３を振動させることにより、筐体７１が全体として振動し、この振動体による振動が筐体保持部材１２及び枕本体１１を介して頭頚部に伝達されるため、入眠効果を得ることが期待できる。
【００８０】
また、図１７に点線で示すように、リーフスプリング７３の下側駆動端Xは、電磁石７５よりも上側に設定されているため、下側駆動端Xに下動したときに、鉄片７４が、電磁石７５に吸着され、衝突音が発生することはない。これにより、睡眠の妨げとなる異音が発生するのを防止できるため、高い入眠効果を得ることができる。
【００８１】
次に、本実施例の振動筐体の構成について詳細に説明する。７１aは筐体蓋であり、７１ｂは筐体本体であり、筐体蓋７１a及び筐体本体７１ｂによって振動体の筐体７１が構成される。
【００８２】
筐体蓋７１aには、左右両端部が下方に折れ曲がった曲げ部８１aが形成されており、この曲げ部７１aが筐体本体７ｂの左右両端部に設けられた凹形状の筐体溝部８１ｂに当接している。筐体蓋７１aにおける曲げ部８１aよりも内側には、先細り形状のスプリング板押さえ部８２a（挟み込み部）が筐体下側方向に延びて形成されており、筐体本体７１ｂにおける筐体溝部８２ｂよりも内側には、先細り形状のスプリング板支持部８１ｂ（挟み込み部）が筐体上側方向に延びて設けられており、スプリング板７３は、スプリング押さえ部８２a及びスプリング板支持部８１ｂによってその両端が挟みこまれている。
【００８３】
筐体蓋７１aの長手直交方向の寸法は、筐体本体７１ｂの長手直交方向の寸法よりも、筐体７１の約厚み寸法の２倍だけ短く設定されており、筐体蓋７１aは、筐体本体７１ｂの内周面に設けられた、筐体本体７１ｂの長手方向に延びる蓋支持部材８１ｃ上に、載置されるようになっている。
【００８４】
スプリング板７３には、スプリング板ビス穴部７３aがスプリング板７３の長手方向に３つ並んで形成されており、鉄片７４には、スプリング板ビス穴部７３aに対応する、鉄片ビス穴部７４aが３つ並んで形成されており、スプリング板ビス穴部７３a及び鉄片ビス穴部７４aにビス８３を締結することにより、鉄片７４をスプリング板７３に対して固定することができる。
【００８５】
スプリング板７３が上下に振動（弾性変形）すると、スプリング板７３は、スプリング押さえ部８２a及びスプリング板支持部８１ｂに対して、摺動しながら、矢印L１又はL２方向に移動するようになっており、このスプリング板７３の摺動領域には、防音処理としてのゴム８４（ラテックスゴム）が配されている。これにより、スプリング板７３がスプリング押さえ部８２a及びスプリング板支持部８１ｂに対して摺動するときの摺動音が抑制され、摺動音が睡眠の妨げとなって聴覚に入るのを防止できる。
【００８６】
３つのビス穴部７３aのうち左右両側に形成されたビス穴部７３aに締結されるビス８３とスプリング板７３との間には、中央に開口部を有しこの開口部をビス８３のネジ部に挿入させたスプリング板押えゴム８５を介在させている。
【００８７】
鉄片７４は、錘としての役割も有しており、スプリング板３を大きく振動させるのに寄与している。
【００８８】
電磁石７５は、ボビン７５aにコイル７５ｂを巻き回した構成となっており、左右両側が上方に折れ曲がった曲げ部７６aを有する電磁石固定部材７６の凹部に固定されている。
【００８９】
筐体本体７１ｂに組み込まれた電磁石固定部材７６は、筐体７１の外側から不図示のビスをビス穴部８１ｄ、７６ｂに締結することにより、筐体本体７１ｂの底部に固定される。なお、本実施例では、鉄片及びスプリング板によって、振動体を構成したが、磁性及び弾性を有する一つの板状部材（例えば鉄板）を振動体としてもよい。
【００９０】
次に、図１７を参照して、振動体の動作について説明する。コイル７５ｂに通電する前の状態において、スプリング板７３は、スプリング押さえ部８２a及びスプリング板支持部８１ｂに挟み込まれた状態で、水平方向に延びており、この位置を振動の基準位置とする。
【００９１】
基準位置にスプリング板７３及び鉄片７４が位置する状態で、コイル７５ｂへの通電を開始すると、鉄片７４が電磁石７５に吸引され、スプリング板７３は、スプリング押さえ部８２a及びスプリング板支持部８１ｂに摺動しながら矢印L１方向に移動し、下に凸に弾性変形する。スプリング板７３の摺動領域には、防音処理としてのゴム８４が施されているため、スプリング板７３が、スプリング押さえ部８２a及びスプリング板支持部８１ｂに対して摺動するときに、入眠の妨げとなる異音が発生するのを防止できる。
【００９２】
また、スプリング板７３の下側駆動端Xは電磁石７５の上方に設定されており、スプリング板７３が下に凸に弾性変形しても、鉄片７４がコイル７５に当接することは無い。したがって、鉄片７４がコイル７５に吸着して、その衝突音が睡眠の妨げとなる異音となって聴覚に入るのを防止できる。
【００９３】
再び、振動体の動作説明に戻る。スプリング板７３が下側駆動端Xに位置する状態で、コイル５７ｂへの通電を絶つと、弾性変形したスプリング板７３の弾性力により、スプリング板７３は、上に凸に弾性変形する。なお、スプリング板７３の上側駆動端は、筐体蓋７１aよりも下方に設定されているため、スプリング板７３は、上に凸に弾性変形しても筐体蓋７１aに衝突しない。そして、スプリング板７３の弾性力により基準位置に戻る途中で、コイル７５ｂに通電すると、電磁石７５に鉄片７４が吸引され、スプリング板７３は、再び下方駆動端Xに移動する。
【００９４】
このように、スプリング板７３を上下方向（挟み込み方向）に振動させると、筐体７１が全体として振動し、この振動体による振動が筐体保持部材１２及び枕本体１１を介して頭頚部に伝達されるため、入眠効果を得ることが期待できる。
【００９５】
本実施例の安眠枕は、以下の発明を具体化したものでもあり、上記実施例に様々な変更が加えられて使用されるものである。
〔発明１〕
筐体と、
両端が前記筐体に挟み込まれた、弾性かつ磁性を有する振動体と、
前記振動体に対して前記挟み方向に並んで配置される、コイルを巻き回したボビンとを有し、
前記振動体は、前記コイルに対して通電すると、前記ボビンに吸引されて前記挟み方向のうち一方向に弾性変形し、該一方向に弾性変形した状態で前記コイルへの通電を絶つと、弾性力により前記一方向とは反対の他方向に弾性変形し、
前記振動体は、前記一方向に弾性変形した前記振動体の弾性力により、前記ボビンへの吸着が阻止されることを特徴とする安眠枕。
【００９６】
〔発明２〕
前記振動体は、弾性板と、該弾性板のうち前記ボビンに対向する領域に取り付けられた鉄片と、から構成されており、
前記弾性板の両端は、前記筐体に挟み込まれていることを特徴とする発明１に記載の安眠枕。
【００９７】
〔発明３〕
前記筐体は、前記振動体を挟み込むための挟み込み部を有し、
前記振動体は、前記弾性変形に応じて、前記挟み込み部に対して摺動しながら前記挟み込み方向に直交する方向へ移動可能であることを特徴とする発明１又は２に記載の安眠枕。
【００９８】
〔発明４〕
前記挟み込み部に対して摺動する前記振動体の摺動領域には、摺動する際に発生する摺動音を抑制するための防音処理が施されていることを特徴とする発明３に記載の安眠枕。
【００９９】
〔発明５〕
前記摺動領域には、前記防音処理としてゴムが施されていることを特徴とする発明４に記載の安眠枕。
【０１００】
〔発明６〕
前記挟み込み部は、前記振動体に向かって先細り形状となる凸部を有することを特徴とする発明１乃至５に記載の安眠枕。
【０１０１】
なお、上述の実施例１乃至４では、振動筐体を頭頚部が当接する枕本体の当接部の略直下に配置したが、枕内における他の位置に配置してもよい。
【図面の簡単な説明】
【０１０２】
【図１】安眠枕の分解斜視図である。
【図２】安眠枕の長手方向の断面図であり、枕に頭が載置される前の状態を図示している。
【図３】安眠枕の長手方向の断面図であり、枕に頭が載置された状態を図示している。
【図４】安眠枕の上面図である。
【図５】図１とは異なる安眠枕の断面図である。
【図６】振動体の斜視図である。
【図７】振動体の垂直方向の断面図である。
【図８】制御回路の回路構成を図示したブロック図である。
【図９】各振動パターンの波形図であり、(ａ)がデルタモード、(ｂ)がマザーモード、(ｃ)がトレインモードを示している。
【図１０】実施例２の振動体の分解斜視図である。
【図１１】実施例２のソレノイドの分解斜視図である。
【図１２】実施例２の振動体の動作を図示した動作説明図である。
【図１３】実施例２のソレノイドの動作説明図であり、(ａ)は非通電時におけるソレノイドの断面図であり、(ｂ)は通電時におけるソレノイドの断面図である。
【図１４】実施例３の振動体の組み立て完成図である。
【図１５】実施例３の振動体の分解斜視図である。
【図１６】実施例４の振動体の分解斜視図である。
【図１７】実施例４の振動体の動作説明図である。
【符号の説明】
【０１０３】
１１  枕本体
１２  筐体保持部材
１３  振動筐体
１４  低反発枕シート
１３１  ２１  筐体
１３２  可動鉄片支持部材
１３３  可動鉄片
１３４  ウエイト
１３５  リターンマグネット
１３６  ソレノイド
１４１  制御回路
【図１】
2006289054.tif 000003
【図２】
2006289054.tif 000004
【図３】
2006289054.tif 000005
【図４】
2006289054.tif 000006
【図５】
2006289054.tif 000007
【図６】
2006289054.tif 000008
【図７】
2006289054.tif 000009
【図８】
2006289054.tif 000010
【図９】
2006289054.tif 000011
【図１０】
2006289054.tif 000012
【図１１】
2006289054.tif 000013
【図１２】
2006289054.tif 000014
【図１３】
2006289054.tif 000015
【図１４】
2006289054.tif 000016
【図１５】
2006289054.tif 000017
【図１６】
2006289054.tif 000018
【図１７】
2006289054.tif 000019